(57)【要約】【課題】  屋外において長時間安定的かつ低コストで広告を行える浮遊広告装置を得る。【解決手段】  コントローラ１６により飛行が制御されるドローン１２が最上部に位置し、ドローン１２の下端側に電力を供給するための電力供給線１４の一端が接続される。ドローン１２の下側に蛇腹構造であって中程が外側に突出した提灯状に形成される広告媒体１８が吊り下げられ、広告バナー幕２４が広告媒体１８に更に吊り下げられる。広告バナー幕２４の下部に、地上との間をつなぐ支持ロープ２８の上端部が連結され、支持ロープ２８の下端部は地上に設置されたアンカー部材３０に連結される。電力供給線１４は、広告媒体１８内を貫通すると共に、広告バナー幕２４および支持ロープ２８に沿って地上まで伸び、地上に配置された電力源３２に他端が接続される。【選択図】図１
2020201393.tif 000002
【特許請求の範囲】
【請求項１】
電力を供給する電力供給線の一端に接続された電動無人飛行体と、
電動無人飛行体に吊されると共に下端側が地上に連結される広告媒体と、
地上に配置されて電力供給線の他端に接続された電力源と、
電動無人飛行体の動作を制御する制御手段と、
を含む浮遊広告装置。
【請求項２】
広告媒体が蛇腹構造とされ、電動無人飛行体の離陸に伴い広告媒体が上下方向に広がる請求項１に記載の浮遊広告装置。
【請求項３】
広告媒体が発光可能な発光体を内蔵し、電力供給線を介して該発光体に発光用の電力が供給される請求項１または請求項２に記載の浮遊広告装置。
【請求項４】
制御手段が、予め定められた空間上の位置に電動無人飛行体が常時保持されるように制御する請求項１〜３のいずれかに記載の浮遊広告装置。
【発明の詳細な説明】
【技術分野】
【０００１】
本発明は、屋外において長時間安定的かつ低コストで広告を行える浮遊広告装置に関し、特に自律飛行可能なドローンを用いた浮遊広告装置に好適なものである。
【背景技術】
【０００２】
新聞、雑誌、ラジオ、テレビ等の他に種々の広告媒体が従来存在しているが、例えば空気より軽いヘリウムガス等の気体を球状の気球内に充填したアドバルーン（直径２．０〜２．３メートル程度の大きさ)も屋外における広告媒体の一種として存在している。しかし、ヘリウムガスは、供給不足に伴う価格高騰の影響もありコスト面での優位性が失われつつある。他に空気より軽いガスとしては水素ガスも存在するが、水素ガスは可燃性を有していることからアドバルーン用として近年一般に用いられていなかった。
他方、屋外における広告媒体としてのアドバルーンは風の影響も受けやすく、概ね４５度以上の角度に傾くと運用が困難になるという欠点も有していた。
【０００３】
これに対してアドバルーンの先行技術文献として下記特許文献１、２が知られている。この特許文献１には、高所用軽量スピーカ装置をアドバルーンに吊り下げて使用する技術が示されている。また、特許文献２には、頭部分、胴部分、手部分もしくは足部分等のような動かせる部分を備えたアドバルーン本体と、このアドバルーン本体に搭載した動かせる部分を動かすための駆動装置とを有したアドバルーンに関する技術が示されている。
【先行技術文献】
【特許文献】
【０００４】
【特許文献１】実用新案登録第3122449号公報
【特許文献２】実用新案登録第3088954号公報
【発明の概要】
【発明が解決しようとする課題】
【０００５】
しかし、特許文献１、２によるものでも、従来から用いられていたアドバルーンを使用しているので、屋外においては風の影響も受けやすく、ヘリウムガスの価格高騰の影響もありコスト面での優位性が失われつつあるという欠点を有していた。また、ドローンを利用し、広告媒体をこのドローンに吊すことも近年考えられているが、電力を内蔵のバッテリーに依存していることから、長時間の飛行は困難であった。これに対して、屋外において長時間安定的かつ低コストに広告を行える広告媒体の必要性が高まっていた。
【０００６】
本発明は上記背景に鑑みてなされたもので、屋外において長時間安定的かつ低コストで広告を行える浮遊広告装置を提供することを目的とする。
【課題を解決するための手段】
【０００７】
上記課題を解決した請求項１記載の発明は、電力を供給する電力供給線の一端に接続された電動無人飛行体と、
電動無人飛行体に吊されると共に下端側が地上に連結される広告媒体と、
地上に配置されて電力供給線の他端に接続された電力源と、
電動無人飛行体の動作を制御する制御手段と、
を含む浮遊広告装置である。
【０００８】
請求項１の発明のような浮遊広告装置によれば、制御手段により飛行動作が制御される電動無人飛行体に、下端側を地上に連結した広告媒体が吊されている。また、電力供給線の一端がこの電動無人飛行体に接続され、この電力供給線の他端が地上に配置された電力源に接続されて、電力源がこの電動無人飛行体に電力供給線を介して電力を供給する。
【０００９】
このため、制御手段により動作が制御されて電動無人飛行体が離陸するのに伴い、内部にヘリウムガス等の気体がなくとも広告媒体が電動無人飛行体に吊されて上昇し、この広告媒体が外部に情報を伝播可能となる。また、電動無人飛行体には、地上に配置された電力源から電力を供給する電力供給線に接続されていることから、電力消耗に制限されない電動無人飛行体の飛行が可能となる。
【００１０】
他方、電動無人飛行体の動作が制御手段により制御されていることから、風が吹いた場合でも電動無人飛行体が一定の位置に留まるように飛行制御可能となる。
以上より、本請求項の浮遊広告装置は、ヘリウムガスの替わりに、地上からの電力供給が可能な電動無人飛行体を用いるので低コストで長時間飛行可能であり、また、電動無人飛行体が制御されて飛行することにより風の影響も受け難くなる結果として、長時間安定的に広告媒体より広告を行えることになる。
【００１１】
請求項２の発明は、広告媒体が蛇腹構造とされ、電動無人飛行体の離陸に伴い広告媒体が上下方向に広がる請求項１に記載の浮遊広告装置である。このように広告媒体が蛇腹構造とされていることで、非使用時には小さく折り畳んでスペースを取らず、電動無人飛行体の離陸に伴って広告媒体の上側が引き上げられることで、広告媒体自体が自然に広がることになる。他方、電動無人飛行体と広告媒体を分離可能としておけば、浮遊広告装置の非運用時において、折り畳まれた広告媒体の運搬の簡便性が高まると共に躯体保護が容易ともなる。
【００１２】
請求項３の発明は、広告媒体が発光可能な発光体を内蔵し、電力供給線を介して該発光体に発光用の電力が供給される請求項１または請求項２に記載の浮遊広告装置である。このように電動無人飛行体に電力を供給する電力供給線が、広告媒体に内蔵された発光体にも電力を供給することで、夜間でも長時間の発光が可能となり、広告効果が高まるようになる。
【００１３】
請求項４の発明は、制御手段が、予め定められた空間上の位置に電動無人飛行体が常時保持されるように制御する請求項１〜３のいずれかに記載の浮遊広告装置である。このように制御手段により電動無人飛行体が一定位置に常時保持されることで、風が吹いた場合でも、風の力に抗して一定の位置に保持可能となり、広告媒体も必要以上に移動したり傾いたりすることがなく、安定的な広告が可能となる。
【発明の効果】
【００１４】
本発明に係る浮遊広告装置によれば、屋外において長時間安定的かつ低コストで広告を行えるという優れた効果を奏する。
【図面の簡単な説明】
【００１５】
【図１】本発明の一実施形態に係る浮遊広告装置の概略図である。
【図２】本発明の一実施形態に係る浮遊広告装置を上から見た平面図である。
【図３】広告媒体の断面図（電力供給線の図示は省略する）である。
【図４】本発明の一実施形態に係る浮遊広告装置の概略図であってドローンの起動時における状態を示す図である。
【発明を実施するための形態】
【００１６】
以下、本発明に係る浮遊広告装置の第１の実施形態を、図面を参照しつつ詳細に説明する。
図１及び図２に示すように本実施形態の浮遊広告装置１０においては、例えば４つのプロペラ１２Ａをそれぞれ回転する図示しない４つのモータを有すると共に、コントローラ１６により飛行が制御されるドローン１２が最上部に位置していて、このドローン１２の下端側に電力を供給するための電力供給線１４の一端が接続されている。
【００１７】
電動無人飛行体であるこのドローン１２の下側には、外部に広告情報を伝播するための広告媒体１８が位置している。この広告媒体１８の本体部分１８Ａは、蛇腹構造であって中程が外側に突出した提灯状にビニールやメッシュ状の部材により形成されている。さらに、リング状の連結部材１８Ｂ、１８Ｃが本体部分１８Ａの上下部分にそれぞれ設けられていて、ドローン１２に上部連結部材１８Ｂが４本のワイヤ２０により連結されてこの広告媒体１８がドローン１２に吊り下げられている。尚、本実施形態では、図１に示すように広告媒体１８の表面に文字、マーク、図等の広告情報が具体的に描かれていないが、この広告媒体１８の表面にこれら文字等を描いても良い。
【００１８】
また、この広告媒体１８の下部にある下部連結部１８Ｃには、文字等が表示されて同様に外部に広告情報を伝播するためのシート状で上下方向に細長く形成された広告バナー幕２４が４本のワイヤ２２により連結されて、広告媒体１８にこの広告バナー幕２４が吊り下げられている。
【００１９】
この広告バナー幕２４の下部には、地上との間をつなぐ支持ロープ２８の上端部が連結されていて、この支持ロープ２８の下端部は地上に設置されたアンカー部材３０に連結されている。このため、広告媒体１８の下端側が、広告バナー幕２４を介して地上に連結されていることになる。
【００２０】
他方、図１に示すように、ドローン１２に接続された電力供給線１４は広告媒体１８内を貫通すると共に広告バナー幕２４に沿って地上まで下方に伸びていて、地上に配置された電力源３２にこの電力供給線１４の他端が接続されている。このため、電力供給線１４を介して電力源３２からドローン１２に常時電力が供給可能となっている。さらに、図３に示すように、広告媒体１８には発光可能なＬＥＤ等の発光体２６が内蔵されていて、電力供給線１４を介してこの発光体２６にも発光用の電力が供給されている。
【００２１】
次に、本実施形態の浮遊広告装置１０の起動時における動作を説明する。
図４に示すように、ドローン１２の他、広告媒体１８、広告バナー幕２４が地上に位置しているが、無線或いは有線でドローン１２を制御することになる制御手段であるコントローラ１６を操作し、ドローン１２を起動することで、ドローン１２を離陸させて上昇させることができる。これに伴ってこのドローン１２につり下げられた広告媒体１８も上昇するが、蛇腹状に形成されているので、広告媒体１８が上下方向に沿って広がり、さらに続けて広告バナー幕２４も上昇し、図１に示す状態になる。
【００２２】
この際、コントローラ１６により例えばＧＰＳ上の緯度経度のポイントを地上に設置されたアンカー部材３０の位置に合わせて予め設定することで、この予め定められた一定の位置の上空上にドローン１２が静止して常時保持されるように、制御することが可能となる。
【００２３】
次に、本実施形態に係る浮遊広告装置１０の作用を以下に説明する。
本実施形態の浮遊広告装置１０によれば、コントローラ１６により飛行動作が制御されるドローン１２に蛇腹構造とされた広告媒体１８が吊され、この広告媒体１８の下端側が広告バナー幕２４及び支持ロープ２８を介して地上のアンカー部材３０に連結されている。また、ドローン１２に一端を接続した電力供給線１４の他端が地上に配置された電力源３２に接続され、電力源３２が電力供給線１４を介してこのドローン１２に電力を供給する。
【００２４】
このため、コントローラ１６により動作が制御されてドローン１２が離陸するのに伴い、蛇腹構造とされた広告媒体１８の上側が引き上げられることで、この広告媒体１８が上下方向に自然に広がる。つまり、ヘリウムガス等の気体が内部になくとも広告媒体１８がドローン１２に吊されて膨らみつつ上昇し、広告媒体１８が外部に広告情報を伝播可能となる。
【００２５】
また、上記のように地上に配置された電力源３２からの電力を供給するための電力供給線１４にドローン１２が接続されていることから、電力消耗に制限されることなく、長時間の飛行が可能となる。この際、コントローラ１６により、予め定められた空間上の位置にドローン１２が常時保持されるように制御されることで、風が吹いた場合でも、風の力に抗して一定の位置に留まるようにドローン１２が飛行して、自律して位置を保持可能となる。これに伴い、広告媒体１８も必要以上に移動したり傾いたりすることなく、安定的な広告が可能となる。
【００２６】
以上より、本実施形態の浮遊広告装置１０は、ヘリウムガスの替わりに、地上の電力源３２からの電力供給が可能なドローン１２を用いるので低コストで長時間飛行可能であり、また、ドローン１２がコントローラ１６により制御されて飛行することにより風の影響も受け難くなる結果として、長時間安定的に広告媒体１８及び広告バナー幕２４より広告を行えることになる。
【００２７】
さらに、本実施形態では、広告媒体１８が発光可能な発光体２６を内蔵し、ドローン１２に電力を供給する電力供給線１４を介して、この発光体２６にも発光用の電力が供給されるので、夜間において発光させた場合でも長時間の発光が可能となり、広告効果が高まるようになる。ただし、コントローラ１６の制御により、発光体２６による昼間の発光は停止しても良い。
【００２８】
なお、上記実施形態では、支持ロープ２８と電力供給線１４を別体としたが、これらを一体のものとしても良い。また、広告媒体１８自体に文字やマーク等を表示すれば、広告バナー幕２４はなくとも良く、この場合には広告媒体１８に支持ロープ２８の上端部を直接連結することになる。この逆に、広告バナー幕２４自体をシート状の発光体とすることとしても良い。さらに、ドローン１２からワイヤ２０を取り外す等によりドローン１２と広告媒体１８を分離可能な構造とすれば、浮遊広告装置１０の非運用時において、蛇腹構造とされて折り畳まれた広告媒体１８の運搬の簡便性が高まると共に躯体保護が容易となる。
【００２９】
他方、電力源３２は、それ自体を大型のバッテリーとしても良く、外部の電線から電力の供給を受けたり、エンジン等により発電機を駆動して電力を発生したりするようなものでも良い。さらに、上記実施形態では制御手段をコントローラとしたが、コンピュータ等を制御手段として用いても良く、制御方式としては、予めプログラムやデータを入力するようなものでも良いが、無線や有線でドローン１２を直接操縦するようなものでも良い。
【００３０】
以上、本発明に係る実施の形態を説明したが、本発明は係る実施の形態に限定されるものではなく、本発明の趣旨を逸脱しない範囲で種々変形して実施することができる。
【産業上の利用可能性】
【００３１】
本発明は、屋外におけるアドバルーンとしての広告媒体だけでなく、夜間の光源による発光により、提灯としての風情を楽しむようにしたり、夜間のランドマーク替わりにしたりすることが可能となる他、各種産業分野に適用可能となる。
【符号の説明】
【００３２】
１０    浮遊広告装置
１２    ドローン（電動無人飛行体）
１４    電力供給線
１６    コントローラ(制御手段)
１８    広告媒体
２６    発光体
２８    支持ロープ
３０    アンカー部材
３２    電力源
【図１】
2020201393.tif 000003
【図２】
2020201393.tif 000004
【図３】
2020201393.tif 000005
【図４】
2020201393.tif 000006
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
電力を供給する電力供給線の一端に接続された電動無人飛行体と、
電動無人飛行体に吊されると共に下端側が地上に連結される広告媒体と、
地上に配置されて電力供給線の他端に接続された電力源と、
電動無人飛行体の動作を制御する制御手段と、
を含む浮遊広告装置であって、
広告媒体が蛇腹構造とされ、電動無人飛行体の離陸に伴い広告媒体が上下方向に広がる浮遊広告装置。
【請求項２】
広告媒体が発光可能な発光体を内蔵し、電力供給線を介して該発光体に発光用の電力が供給される請求項１に記載の浮遊広告装置。
【請求項３】
制御手段が、予め定められた空間上の位置に電動無人飛行体が常時保持されるように制御する請求項１または請求項２に記載の浮遊広告装置。
【手続補正２】
【補正対象書類名】明細書
【補正対象項目名】０００７
【補正方法】変更
【補正の内容】
【０００７】
上記課題を解決した請求項１記載の発明は、電力を供給する電力供給線の一端に接続された電動無人飛行体と、
電動無人飛行体に吊されると共に下端側が地上に連結される広告媒体と、
地上に配置されて電力供給線の他端に接続された電力源と、
電動無人飛行体の動作を制御する制御手段と、
を含む浮遊広告装置であって、
広告媒体が蛇腹構造とされ、電動無人飛行体の離陸に伴い広告媒体が上下方向に広がる浮遊広告装置である。
【手続補正３】
【補正対象書類名】明細書
【補正対象項目名】００１１
【補正方法】変更
【補正の内容】
【００１１】
さらに本発明は、広告媒体が蛇腹構造とされ、電動無人飛行体の離陸に伴い広告媒体が上下方向に広がっている。このように広告媒体が蛇腹構造とされていることで、非使用時には小さく折り畳んでスペースを取らず、電動無人飛行体の離陸に伴って広告媒体の上側が引き上げられることで、広告媒体自体が自然に広がることになる。他方、電動無人飛行体と広告媒体を分離可能としておけば、浮遊広告装置の非運用時において、折り畳まれた広告媒体の運搬の簡便性が高まると共に躯体保護が容易ともなる。
【手続補正４】
【補正対象書類名】明細書
【補正対象項目名】００１２
【補正方法】変更
【補正の内容】
【００１２】
請求項２の発明は、広告媒体が発光可能な発光体を内蔵し、電力供給線を介して該発光体に発光用の電力が供給される請求項１に記載の浮遊広告装置である。このように電動無人飛行体に電力を供給する電力供給線が、広告媒体に内蔵された発光体にも電力を供給することで、夜間でも長時間の発光が可能となり、広告効果が高まるようになる。
【手続補正５】
【補正対象書類名】明細書
【補正対象項目名】００１３
【補正方法】変更
【補正の内容】
【００１３】
請求項３の発明は、制御手段が、予め定められた空間上の位置に電動無人飛行体が常時保持されるように制御する請求項１または請求項２に記載の浮遊広告装置である。このように制御手段により電動無人飛行体が一定位置に常時保持されることで、風が吹いた場合でも、風の力に抗して一定の位置に保持可能となり、広告媒体も必要以上に移動したり傾いたりすることがなく、安定的な広告が可能となる。